(57)【特許請求の範囲】
【請求項１】
アップリンク送信電力の制御方法であって、
前記アップリンク送信電力の制御方法は、
電力制御コマンドをターミナルに送信する複数の基地局とのソフトハンドオーバ時に、前記ターミナルにおいて前記複数の基地局に対するコマンド値を計算することと、
前記複数の基地局に対して計算された前記コマンド値が少なくとも一つの電力ダウンコマンドを含む場合、アップリンク送信電力を減らすことと
を含み、
前記コマンド値の各々は、前記複数の基地局の各々に対するものであり、前記コマンド値の各々は、前記複数の基地局の各々からの５つの連続したスロットにおける前記電力制御コマンドを介して計算される、アップリンク送信電力の制御方法。
【請求項２】
前記複数の基地局に対して計算された前記コマンド値に前記電力ダウンコマンドがないときに、前記コマンド値の平均が０．５を超える場合、前記アップリンク送信電力を増やすことをさらに含み、電力アップコマンドとして計算されたコマンド値は、１であり、電力維持コマンドとして計算されたコマンド値は、０である、請求項１に記載のアップリンク送信電力の制御方法。
【請求項３】
前記複数の基地局に対して計算された前記コマンド値に前記電力ダウンコマンドがないときに、前記コマンド値の平均が０．５を超えない場合、前記アップリンク送信電力を維持することをさらに含み、電力アップコマンドとして計算されたコマンド値は、１であり、電力維持コマンドとして計算されたコマンド値は、０である、請求項１に記載のアップリンク送信電力の制御方法。
【請求項４】
前記複数の基地局に対して計算された前記コマンド値に前記電力ダウンコマンドがないときに、計算された全てのコマンド値が送信電力の増加を示す場合、前記アップリンク送信電力を増やすことをさらに含む、請求項１に記載のアップリンク送信電力の制御方法。
【請求項５】
複数の基地局とのソフトハンドオーバ時におけるユーザ機器によるアップリンク送信電力の制御方法であって、
前記アップリンク送信電力の制御方法は、
前記複数の基地局から送信された電力制御コマンドを受信することと、
前記受信された電力制御コマンドに応じて複数のコマンド値を計算することと、
前記コマンド値のいずれかが送信電力ダウンコマンド値として計算された場合、アップリンク送信電力を減らすことと、
送信電力ダウンコマンド値として計算されたコマンド値がないときに、前記コマンド値の平均を計算することと、
前記コマンド値の平均と基準値を比較し、前記比較の結果に応じて、前記アップリンク送信電力を増やすか、または維持することと
を含む、アップリンク送信電力の制御方法。
【請求項６】
前記コマンド値は、送信電力アップに対する１であるか、送信電力の維持に対する０であるか、または送信電力ダウンに対する−１である、請求項５に記載のアップリンク送信電力の制御方法。
【請求項７】
前記基準値は０.５である、請求項６に記載のアップリンク送信電力の制御方法。
【請求項８】
前記比較の結果に応じて、前記アップリンク送信電力を増やすか、または維持することにおいて、前記アップリンク送信電力は、前記コマンド値の平均が０.５を超える場合には、増やされ、前記コマンド値の平均が０.５以下である場合には、維持される、請求項７に記載のアップリンク送信電力の制御方法。
【請求項９】
前記比較の結果に応じて、前記アップリンク送信電力を増やすか、または維持することにおいて、前記アップリンク送信電力は、前記コマンド値の平均が０.５以上である場合には、増やされ、前記コマンド値の平均が０.５未満である場合には、維持される、請求項７に記載のアップリンク送信電力の制御方法。
【請求項１０】
アップリンク送信電力の制御方法であって、
前記アップリンク送信電力の制御方法は、
電力制御コマンドをターミナルに送信する複数の基地局とのソフトハンドオーバ時に、前記ターミナルにおいて前記複数の基地局に対するコマンド値を計算することと、
前記複数の基地局に対して計算された前記コマンド値に電力ダウンコマンドがないときに、前記コマンド値の平均が０．５を超える場合、前記アップリンク送信電力を増やすことであって、電力アップコマンドとして計算されたコマンド値は、１であり、電力維持コマンドとして計算されたコマンド値は、０である、ことと
を含み、
前記コマンド値を計算することは、５タイムスロットにわたり送信電力アップコマンドが前記複数の基地局のうちの対応する基地局から送信され続けられる場合に、前記対応する基地局に対する送信電力アップに対応するコマンド値を計算するか、前記５タイムスロットにわたり送信電力ダウンコマンドが前記対応する基地局から送信され続けられる場合に、前記対応する基地局に対する送信電力ダウンに対応するコマンド値を計算するか、それ以外の場合に、送信電力の維持に対応するコマンド値を計算する、アップリンク送信電力の制御方法。
【請求項１１】
前記５タイムスロットのうち基準スロットは、無線フレームの第１のタイムスロットである、請求項１０に記載のアップリンク送信電力の制御方法。
【発明の詳細な説明】
【技術分野】
【０００１】
この出願は、以下で参考として組み込まれる２００３年２月４日付け出願の大韓民国特許出願番号第Ｐ２００３−０００６９１３号、及び２００３年２月６日付け出願の大韓民国特許出願番号第Ｐ２００３−０００７５４６号の優先権を主張する。
【０００２】
本発明は、モバイル通信に適用される電力制御方法に係り、詳しくは、アップリンク送信電力の制御方法に関する。
【背景技術】
【０００３】
通常、モバイル通信システムにおけるアップリンク送信電力の制御は、システム受信容量の増大と効率よいターミナル電力の使用に欠かせないものである。以下、従来の技術によるアップリンク送信電力の制御方法について説明する。
【０００４】
先ず、基地局は、ターミナルから送信されたアップリンク送信信号を受信し、ターミナルは、送信された電力に応じてアップリンク送信電力の増減の有無を決める。その後、基地局は、前記決定に応じて送信電力制御コマンドをターミナルに送信する。
【０００５】
ターミナル（ＵＥ：user equipment）は、基地局（ノードＢ）から送信された送信電力制御コマンドを受信し、電力制御コマンドに応じてアップリンク送信電力を決める。その後、ターミナルは、その決定結果に応じてアップリンク送信を行うことにより、アップリンク送信電力の制御を行う。
【０００６】
以下、アップリンク送信電力の制御方法について詳述する。
【０００７】
図１を参照すれば、ターミナルは、ある基地局から送信された送信電力制御コマンドを受信する。所定の連続したタイムスロット中に受信された電力制御コマンドがいずれも「送信電力の増加」を示す場合、ターミナルはアップリンク送信電力を増やすことを決める。
【０００８】
そうでなく、所定の連続したタイムスロット中に受信された送信電力制御コマンドがいずれも「送信電力の減少」を示す場合、ターミナルはアップリンク送信電力を減らすことを決める。
【０００９】
一方、いくつかのタイムスロット中に受信された送信電力制御コマンドが「送信電力の増加」を示し、且つ、他のいくつかのタイムスロット中に受信された他の電力制御コマンドが「送信電力の減少」を示す場合、ターミナルは送信電力を維持することを決める。さらに、ターミナルは、このような決定結果に応じて、アップリンク送信電力を増減するか、それとも維持する。アップリンク送信電力において、増加／減少／維持を含む３状態のうちいずれかを決めることにより、送信電力を制御する方法は３状態電力制御方法と呼ばれている。
【発明の開示】
【発明が解決しようとする課題】
【００１０】
本発明は、従来の技術における制限及び欠点による１以上の不具合を実質的に解消するアップリンク送信電力の制御方法を目指す。
【００１１】
本発明の一目的は、あるターミナルが複数の基地局と通信を行う間にアップリンク信号の送信電力を効率よく制御できるアップリンク送信電力の制御方法を提供することである。
【００１２】
本発明のさらなる利点、目的及び特徴は後述する説明に部分的に開示されており、この技術分野における当業者にとっては、後述する説明から自明であるか、あるいは、本発明の教示から理解できるであろう。本発明の他の目的及び利点は、添付図面と詳細な説明及び特許請求の範囲の欄で指摘された構造により実現されて達成されるであろう。
【課題を解決するための手段】
【００１３】
これらの目的及び他の利点を達成するために、本発明に係るアップリンク送信電力の制御方法は、電力制御コマンドをターミナルに送信する複数の基地局とのソフトハンドオーバ時に、ターミナルにおいて複数の基地局に対するコマンド値を計算する段階と、複数の基地局に対して計算されたコマンド値が少なくとも一つの電力ダウンコマンドを含む場合、アップリンク送信電力を減らす段階と、を含む。
【００１４】
本発明の他の態様において、アップリンク送信電力の制御方法は、少なくとも一つの基地局から送信された電力制御コマンドを受信する段階と、受信された電力制御コマンドに応じて少なくとも一つのコマンド値を計算する段階と、コマンド値が送信電力ダウンコマンド値を含む場合、アップリンク送信電力を減らす段階と、を含む。
【００１５】
ターミナルが複数の基地局と通信を行う間に通信の品質を維持することができる場合、本発明は、ターミナルのアップリンク送信電力を減らすことにより、ターミナルの電力を効率よく活用すると共に、基地局を安定的に動作させる。
【００１６】
上述した如き説明及び後述する発明の詳細な説明は単なる例示的なものに過ぎず、本発明を一層詳細に説明するために提供されるものであることを理解されたい。
【発明の効果】
【００１７】
本発明によれば、複数の基地局と通信を行う間に、ターミナルが通信の品質を維持できるとき、ターミナルのアップリンク送信電力を減らしてターミナルの電力を効率よく用いることにより、基地局を安定的に動作させることができる。
【発明を実施するための最良の形態】
【００１８】
以下、添付図面に基づき、本発明の好適な実施の形態を詳述する。図中、同一あるいは類似の構成要素には同じ参照符号を付し、その詳細な説明を省く。
【００１９】
ソフトハンドオーバに当たり、複数の基地局は、あるターミナルの電力制御に加わる。その結果、ターミナル（ＵＥ）は、少なくとも１以上の基地局から電力制御コマンドを受信し、受信されたコマンドに応じてアップリンク送信電力を決める必要がある。
【００２０】
図２は、本発明の一実施の形態による、複数の基地局から受信された制御コマンドに応じて、ソフトハンドオーバ時にアップリンク送信電力を制御する方法のフローチャートである。
【００２１】
図２を参照すれば、ソフトハンドオーバに当たり、あるターミナルのアップリンク送信電力は、次のような方式により制御される。
【００２２】
先ず、送信電力を増減するか、それとも維持するかを決める方法は、ハンドオーバが行われない場合と同様である。
【００２３】
また、少なくとも一つの基地局があるターミナルと通信を行うとき、各基地局は独立した送信電力制御コマンドを送信する。その結果、ある基地局から送信された送信電力制御コマンドは、他の基地局から送信された電力制御コマンドと区別される。すなわち、基地局Ａは所定のタイムスロットに対する送信電力の増加コマンドを送信し続けるのに対し、基地局Ｂはタイムスロットに対する送信電力の減少コマンドを送信し続ける。
【００２４】
この場合、ターミナルは、ｉ番目の基地局から送信された送信電力制御コマンドを受信して（Ｓ２１）、一定のコマンド値ＴＰＣtempiを計算する（Ｓ２２）。例えば、送信電力の減少コマンドは「−１」として計算され（ＴＰＣtempi＝−１）、送信電力の維持コマンドは「０」（ＴＰＣtempi＝０）として計算され、そして送信電力の増加コマンドは「１」（ＴＰＣtempi＝１）として計算される。そして、コマンドの平均値が計算され（Ｓ２３）、所定の基準値と比較される（Ｓ２４）。この比較により、送信電力を増減するか、それとも維持するかが決められる（Ｓ２５）。例えば、平均値が下位基準よりも小さければ、送信電力を減らすように決める。平均値が上位基準よりも大きければ、送信電力を増やすように決める。それ以外は、送信電力を維持するように決める。このような決定により、次のアップリンク信号を送信するとき、電力は増減されるか、あるいは維持される（Ｓ２６）。
【００２５】
しかしながら、以上では、下記の如き問題が起こる。あるターミナルが２つの基地局間でハンドオーバされるとする。先ず、基地局Ａが所定のタイムスロット中に送信電力の増加コマンドを送信し続けるとき、ターミナルは基地局Ａの送信電力制御コマンドの決定値を「１」として判断する。一方、他の基地局Ｂが所定のタイムスロット中に送信電力の減少コマンドを送信し続けるとき、ターミナルは基地局Ｂの送信電力制御コマンドの決定値を「−１」として判断する。ソフトハンドオーバに際して基地局Ａ及びＢの両者と同時通信を行うとき、ターミナルは２つの基地局のうちどちらか一方に対するアップリンク通信の品質を維持する。
【００２６】
しかしながら、送信電力を増減するか、あるいは維持するかを決めるために、決定値の平均値を下位又は上位の基準値と単純に比較する場合、送信電力は減ることなく、維持又は増える。このように、逆の電力制御を効率よく行うことができない。
【００２７】
図３は、本発明の他の実施の形態による、複数の基地局から受信された制御コマンドに応じて、ソフトハンドオーバ時にアップリンク電力を制御する方法を示すフローチャートである。
【００２８】
図３を参照すれば、各基地局は、該当基地局と接続されたターミナルから送信されたアップリンク信号を受信し、受信されたアップリンク信号の品質に応じて決められた電力制御コマンドをターミナルに送信する（Ｓ３１）。この場合、ターミナルから送信されて各基地局に受信される信号の品質は、ターミナルと各基地局との間のチャンネル環境が互いに異なるため、互いに異なる。その結果、各基地局からターミナルへと送信された電力制御コマンドは互いに異なってくる。
【００２９】
すなわち、各基地局は、別々に受信されたアップリンク信号の品質情報に応じて決められる送信電力制御コマンドをターミナルに独立に送信する。この場合、各基地局は、電力制御コマンドをタイムスロットごとにターミナルに送信する。ターミナル内に組み込まれているコマンド値計算部は、所定のタイムスロット中に各基地局から送信された電力制御コマンドを用いてコマンド値ＴＰＣtempiを計算する（Ｓ３２）。
【００３０】
この場合、コマンド値ＴＰＣtempiは５タイムスロットを１つのユニットとして計算する。５タイムスロット中に受信された電力制御コマンドがいずれも「送信電力の増加」を示す場合、コマンド値を「１（ＴＰＣtempi＝１）」として計算する。さらに、５タイムスロット中に受信された電力制御コマンドがいずれも「送信電力の減少」を示す場合、コマンド値を「−１（ＴＰＣtempi＝−１）」として計算する。そうでなければ、コマンド値を「０（ＴＰＣtempi＝０）」として計算する。
【００３１】
５タイムスロットを一つのユニットとしてコマンド値を計算するとき、５タイムスロットのそれぞれは、各無線フレームの第１のタイムスロットを基準としてグループ分けされる。すなわち、ある無線フレームが１５タイムスロットからなれば、電力制御コマンド値を、その無線フレームを第１のタイムスロットから５タイムスロットごとに分割して計算する。
【００３２】
電力制御コマンド値を計算するとき、コマンド値のうち「送信電力の減少（ＴＰＣtempi＝−１）」が存在するかどうかをチェックする（Ｓ３３）。複数の基地局に対するＮ個のコマンド値のうちいずれか一つが「送信電力の減少（ＴＰＣtempi＝−１）」を示せば、アップリンク信号の送信電力を減らすように決める（Ｓ３４）。
【００３３】
複数の基地局に対する電力制御コマンド値が「送信電力の増加（ＴＰＣtempi＝１）」又は「送信電力の維持（ＴＰＣtempi＝０）」を示せば、コマンド値の平均値は下記式１及び２により求められる。コマンド値の平均値が所定の基準値αと比較され、アップリンク送信電力の増減を決める。
【００３４】
すなわち、基地局がいずれも減少コマンド（ＴＰＣtempi＝−１）を送信しない場合、電力コマンド値の平均値を求める（Ｓ３５）。さらに、求めた平均値を所定の基準値と比較してアップリンク送信電力を決める（Ｓ３６）。決められた送信電力に応じて、アップリンク信号が送信される（Ｓ３７）。以下、このプロセスについて説明する。
【００３５】
先ず、ターミナルは、下記式１又は２に基づいて複数の基地局の電力調節値の平均値を求め（Ｓ３３）、この平均値を基準値と比較する（Ｓ３４）。
【００３６】
【数１】
0004528765.tif 000002
【００３７】
【数２】
0004528765.tif 000003
【００３８】
前記式１又は２において、「Ｎ」は基地局の数、「ｉ」は１ないしＮの整数、ＴＰＣtempiはｉ番目の基地局に相当するコマンド値、そして、「α」は電力制御用基準値としての所定の定数である。
【００３９】
本発明の実施の形態において、ある基地局から送信された電力制御コマンドは、例えば、送信電力の維持用「０」、送信電力の増加用「１」、及び送信電力の減少用「−１」などの３通りのコマンド値で表される。その結果、コマンド値の平均値は「０」、「１」又は１よりも小さな少数として計算される。
【００４０】
また、複数の基地局に対するＮ個の電力調節値がいずれも「送信電力の減少（ＴＰＣtempi＝−１）」を示さず、電力コマンド値の平均値が前記式１のように所定の基準値よりも大きければ、ターミナルのアップリンク送信電力を増やすように決める。複数の基地局に対するＮ個の電力調節値がいずれも「送信電力の減少（ＴＰＣtempi＝−１）」を示さず、電力コマンド値の平均値が所定の基準値以下であれば、ターミナルから送信されたアップリンク信号の送信電力を維持するように決める。
【００４１】
一方、複数の基地局に対するＮ個の電力調節値がいずれも「送信電力の減少（ＴＰＣtempi＝−１）」を示さず、電力コマンド値の平均値が前記式２のように所定の基準値以上であれば、ターミナルのアップリンク送信電力を増やすように決める。複数の基地局に対するＮ個の電力調節値がいずれも「送信電力の減少（ＴＰＣtempi＝−１）」を示さず、電力コマンド値の平均値が所定の基準値未満であれば、ターミナルから送信されたアップリンク信号の送信電力を維持するように決める。
【００４２】
上述したように、ターミナルがソフトハンドオーバ時に複数の基地局と通信を行う場合、アップリンク通信の品質が基地局のうちいずれか一つに対して満足できれば、成功的な通信が可能になる。その結果、「送信電力の減少（ＴＰＣtempi＝−１）」のコマンド値が基地局から送信された電力制御コマンド中に存在すれば、他の基地局に対するコマンド値とは無関係にアップリンク送信電力を減らすように決める。さらに、複数の基地局の間において、コマンド値のうちいずれか一つが「送信電力の減少（ＴＰＣtempi＝−１）」を示せば、コマンド値の平均値を計算することなく、アップリンク送信電力を減らすように決める。
【００４３】
基準値αは、ターミナル送信電力の増加周波数を設定する方式に応じて適宜に選択可能である。例えば、基準値が小さくなるに伴い、送信電力を増やす必要がある場合が多かれ少なかれ発生する。また、基準値が小さくなるに伴い、送信電力を増やす必要がある場合は減る。このため、ターミナルのアップリンク送信電力を増やす増加周波数を調節することにより、基地局に受信された平均電力値が制御可能となる。
【００４４】
本発明において、基準値は０，０.５，１などに設定され、３状態電力制御方法を用いてターミナルを動作させる。すなわち、コマンド値がいずれも「増加」を示す場合、送信電力は増える。また、「増加」コマンド及び「維持」コマンドが同時に存在する場合、アップリンク電力の制御は、ターミナル又は通信サービスをターミナルに提供する通信システムの操作者が「維持」の電力コマンド値の所定の信頼度をもって電力制御を行う方式により基準値を変えることにより行われる。
【００４５】
例えば、基準値が「０」に設定されれば、ターミナル又は通信システムの操作者は「維持」の電力コマンド値の低い信頼度をもって電力制御を行おうとする。すなわち、少なくとも一つの基地局からの「増加」コマンドが複数の基地局から送信された電力制御コマンド中に存在すれば、アップリンク送信電力を増やすように制御される。
【００４６】
他の例として、基準値が「１」に設定されれば、ターミナル又は通信システムの操作者は「維持」の電力コマンド値の比較的に高い信頼度をもって電力制御を行おうとする。すなわち、複数の基地局から送信されたコマンドが「増加」を示す場合、アップリンク送信電力を増やすように制御される。
【００４７】
基準値が「０.５」であるとき、前記式１を適用することにより得られるアップリンク送信電力は、下記表１の通りである。
【００４８】
【表１】
0004528765.tif 000004
【００４９】
表１を参照すれば、２つの基地局に対するコマンド値（ＴＰＣtempi）のうちどちらか一方が「減少（ダウン，−１）」を示せば、アップリンク送信電力を減らすように決める。そうでなければ、平均値は前記式１により計算され、例えば、基準値「０.５」と比較される。「送信電力の増加（アップ）」は、平均値が基準値「０.５」よりも大きな場合にのみ決められる。さらに、「送信電力の維持」は、平均値が基準値「０.５」以下である場合に決められる。
【００５０】
基準値が「１」であるとき、前記式２を適用することにより得られるアップリンク送信電力は、下記表２の通りである。
【００５１】
【表２】
0004528765.tif 000005
【００５２】
表２を参照すれば、２つの基地局に対するコマンド値（ＴＰＣtempi）のうちどちらか一方が「減少（ダウン，−１）」を示せば、アップリンク送信電力を減らすように決める。そうでなければ、平均値は前記式１により計算され、例えば、基準値「１」と比較される。「送信電力の増加（アップ）」は、平均値が基準値「１」以上である場合にのみ決められる。さらに、「送信電力の維持」は、平均値が基準値「１」よりも小さな場合に決められる。
【００５３】
表１及び表２から明らかなように、少なくとも１以上の基地局に送信されたアップリンク通信の品質が、ソフトハンドオーバ時にターミナルの送信電力の減少にも拘わらず保証されれば、アップリンク送信電力は減る。これにより、送信電力は減るだけではなく、好適なレベルの通信品質が維持され、その結果、効率よい送信電力の制御が行われる。一方、基準値を用いて送信電力を制御する場合、該当基地局の平均的な受信電力は、送信電力の増加周波数を調節するために基準値を適宜に設定することにより制御可能である。
【００５４】
図４は、本発明の他の実施の形態による、複数の基地局から受信された制御コマンドに応じて、ソフトハンドオーバ時にアップリンク電力を制御する方法を示すフローチャートである。
【００５５】
図４を参照すれば、各基地局は該当基地局に接続されたターミナルから送信されたアップリンク信号を受信し、受信されたアップリンク信号の品質に応じて決められた電力制御コマンドをターミナルに送信する。
【００５６】
上述したように、各基地局は、別々に受信されたアップリンク信号の品質情報に応じて決められた送信電力制御コマンドをターミナルに独立に送信する。この場合、各基地局は、電力制御コマンドを各タイムスロットごとにターミナルに送信する。ターミナル内に組み込まれているコマンド値計算部は、所定のタイムスロット中に各基地局から送信された電力制御コマンドを用いてコマンド値ＴＰＣtempiを計算する（Ｓ４２）。
【００５７】
この場合、コマンド値ＴＰＣtempiは５タイムスロットを一つのユニットとして計算することができる。５タイムスロット中に受信された電力制御コマンドがいずれも「送信電力の増加」を示す場合、コマンド値は「１（ＴＰＣtempi＝１）」として計算される。さらに、５タイムスロット中に受信された電力制御コマンドがいずれも「送信電力の減少」を示す場合、コマンド値は「−１（ＴＰＣtempi＝−１）」として計算される。これらを除く場合、コマンド値は「０（ＴＰＣtempi＝０）」として計算される。
【００５８】
さらに、５タイムスロットを一つのユニットとしてコマンド値を計算するとき、５タイムスロットのそれぞれは各無線フレームの第１のタイムスロットを基準としてグループ分けされる。
【００５９】
電力制御コマンド値が計算されるとき、コマンド値のうち「送信電力の減少（ＴＰＣtempi＝−１）」が存在するかどうかをチェックする（Ｓ４３）。複数の基地局に対するＮ個のコマンド値のうちいずれか一つが「送信電力の減少（ＴＰＣtempi＝−１）」を示せば、アップリンク信号の送信電力を減らすように決められる（Ｓ４４）。一方、複数の基地局に対する電力制御コマンド値がいずれも「送信電力の増加（ＴＰＣtempi＝１）」のみを示せば、アップリンク信号の送信電力を増やすように決められる（Ｓ４６）。これらを除く場合、アップリンク信号の送信電力を維持するように決められる（Ｓ４７）。この決定結果に応じて、アップリンク信号は送信される（Ｓ４８）。
【００６０】
図４を参照すれば、アップリンク送信電力は、基準値を設定することなく、各基地局から受信されたコマンドに応じて決められる。すなわち、複数の基地局から送信された電力制御コマンドに応じて決められたコマンド値のうち少なくとも一つが「送信電力の減少（ＴＰＣtempi＝−１）」を示す場合、送信電力を減らすように決められる。一方、各基地局から送信された電力制御コマンドに応じて決められたコマンド値がいずれも「送信電力の増加（ＴＰＣtempi＝１）」を示す場合、送信電力を増やすように決められる。これらを除く場合、送信電力をそのまま維持するように決められる。以下、上述した如き方法によりアップリンク送信電力を決める方法を下記表３に示す。
【００６１】
【表３】
0004528765.tif 000006
【００６２】
表３を参照すれば、少なくとも一つの基地局からのコマンド値が「減少（ダウン，−１）」を示す場合、送信電力を減らすように決められる。また、基地局からのコマンド値がいずれも「増加（アップ，１）」を示す場合にのみ、送信電力は増える。これらを除く場合、送信電力は維持される。
【００６３】
図５は、本発明の好適な実施の形態によるアップリンク信号の送信電力を制御するためのターミナルのブロック図である。
【００６４】
図５を参照すれば、本発明に係るターミナル５０は、受信部５１、コマンド値計算部５２、送信電力決定部５３及び送信部５４を備える。
【００６５】
受信部５１は、少なくとも１以上の基地局から電力制御コマンドを受信する。
【００６６】
コマンド値計算部５２は、各基地局から受信された電力制御コマンドに応じてコマンド値ＴＰＣtempiを計算する。すなわち、コマンド値ＴＰＣtempiは、所定の長さを有するタイムスロット中に各基地局から受信された電力制御コマンドに応じて計算される。
【００６７】
送信電力決定部５３は調節値の平均値を求め、アップリンク送信電力を増減するか、あるいは、維持するかを決めるために、前記平均値を基準値と比較する。
【００６８】
また、送信部５４は、送信電力決定部の決定結果に応じて、アップリンク送信電力を増減するか、あるいは、維持する。
【００６９】
以上、本発明について詳述したが、この技術分野における通常の当業者にとっては、本発明に各種の修正及び変形が加えられるということが自明であろう。よって、本発明は、特許請求の範囲に記載の修正及び変形とその均等物を包括する。
【図面の簡単な説明】
【００７０】
【図１】ある基地局から受信された制御コマンドに応じてアップリンク送信電力を制御する方法を示す。
【図２】本発明の一実施の形態による、複数の基地局から受信された制御コマンドに応じてソフトハンドオーバ時にアップリンク送信電力を制御する方法を示すフローチャートである。
【図３】本発明の他の実施の形態による、複数の基地局から受信された制御コマンドに応じてソフトハンドオーバ時にアップリンク送信電力を制御する方法を示すフローチャートである。
【図４】本発明のさらに他の実施の形態による、複数の基地局から受信された制御コマンドに応じてソフトハンドオーバ時にアップリンク送信電力を制御する方法を示すフローチャートである。
【図５】本発明の好適な実施の形態によるアップリンク信号の送信電力を制御するためのターミナルのブロック図である。
【図１】
0004528765.tif 000007
【図２】
0004528765.tif 000008
【図３】
0004528765.tif 000009
【図４】
0004528765.tif 000010
【図５】
0004528765.tif 000011